(57)【要約】【課題】いままでの撮像装置に比べ、ＡＦサーチに要する時間が短縮される撮像装置を提供すること。また粗調のＡＦサーチに要する時間を短縮させて、微調においてはいままでよりも高精度に合焦点検出を行なうこともできる撮像装置を提供すること。【解決手段】粗調用のフォーカスレンズ１１６ａを移動させながら、ＡＦ検出回路１３０でコントラストのサンプリングが粗い間隔で行なわれて概略の合焦点の検出される。次に微調用のフォーカスレンズ１１７ａを移動させながら、ＡＦ検出回路１３０で効率良く合焦点の検出が行なわれる。ここで粗調用のフォーカスレンズの単位移動距離に対する焦点移動距離を大きくすると、より時短効果が得られ、微調用フォーカスレンズ１１７ａの単位移動距離に対する焦点移動距離を小さくすると、より高精度に合焦点が得られる。【選択図】　　図２
2004056691.tif 000002
【特許請求の範囲】
【請求項１】
被写体からの光を撮影光学系で結像させて被写体画像をあらわす画像信号を得る撮像装置において、
前記撮影光学系の少なくとも一部からなる、ピント調整用のフォーカスレンズを備え、
該フォーカスレンズは、単位移動距離に対する焦点移動距離が相対的に大きな粗調用のフォーカスレンズと、単位移動距離が相対的に小さな微調用のフォーカスレンズとからなり、さらに、
前記画像信号に基づくコントラスト検知に基づいて、前記粗調用フォーカスレンズを合焦位置近傍に移動させ、しかる後に前記微調用フォーカスレンズを合焦位置に移動させるピント調整手段を備えたことを特徴とする撮像装置。
【請求項２】
前記粗調用のフォーカスレンズと前記微調用のフォーカスレンズが互いに別体のレンズにより構成されたものであることを特徴とする請求項１記載の撮像装置。
【請求項３】
前記粗調用のフォーカスレンズと前記微調用のフォーカスレンズのうちの少なくとも一方が複数の単レンズから構成されたものであるとともに、他方が該複数の単レンズのうちの一部の単レンズから構成されたものであることを特徴とする請求項１記載の撮像装置。
【発明の詳細な説明】
【０００１】
【発明の属する技術分野】
本発明は、被写体からの光を撮影光学系で結像させて被写体画像をあらわす画像信号を得る撮像装置に関する。
【０００２】
【従来の技術】
撮像装置の中には撮影レンズを通して導かれた被写体光からコントラストを検出することにより合焦点を検出するものがある。このような撮像装置では被写体距離の無限点に対応する位置から被写体距離の至近点に対応する位置までフォーカスレンズを移動させながらコントラストが順次サンプリングされ、そのサンプリングされたコントラストに基づいて合焦点が検出される。このように合焦点の検出を行うときにフォーカスレンズを移動させて合焦点を探索することをＡＦサーチと呼ぶ。
【０００３】
ＡＦサーチを行なって精度良く合焦点を検出しようとすると、サンプリングを細かく行なう必要があり、合焦点の検出に時間がかかるという問題がある。このように時間がかかるとシャッターチャンスを逸することもあるのでＡＦサーチに要する時間を短縮させる方法が多種試みられている。その中の一つに特開２００１−６６４９４号公報に記載のものがある。
【０００４】
上記公報に記載の撮像装置では、被写体距離の最遠点から被写体距離の至近点まで細かなＡＦサーチを行なうとＡＦサーチに時間がかかるので、まず粗いＡＦサーチを行なって概略の合焦点を探索してから、その概略の合焦点近傍で細かなＡＦサーチを行なってＡＦサーチに要する時間を短縮させる技術が提案されている。
【０００５】
【発明が解決しようとする課題】
しかしながら、上記公報の撮像装置では、細かな分解能を持つフォーカスレンズで粗いＡＦサーチを行なっているのでフォーカスレンズの移動距離がどうしても長くなってしまうという問題がある。
【０００６】
本発明は、上記事情に鑑み、いままでの撮像装置に比べ、さらにＡＦサーチに要する時間が短縮される撮像装置を提供することを目的とする。
【０００７】
【課題を解決するための手段】
上記目的を達成する本発明の撮像装置は、被写体からの光を撮影光学系で結像させて被写体画像をあらわす画像信号を得る撮像装置において、
上記撮影光学系の少なくとも一部からなる、ピント調整用のフォーカスレンズを備え、
そのフォーカスレンズは、単位移動距離に対する焦点移動距離が相対的に大きな粗調用のフォーカスレンズと、単位移動距離が相対的に小さな微調用のフォーカスレンズとからなり、さらに、
上記画像信号に基づくコントラスト検知に基づいて、上記粗調用フォーカスレンズを合焦位置近傍に移動させ、しかる後に上記微調用フォーカスレンズを合焦位置に移動させるピント調整手段を備えたことを特徴とする。
【０００８】
上記発明の撮像装置によれば、上記粗調用フォーカスレンズが駆動された後で、もう一つの微調用フォーカスレンズが駆動される。ここで粗調用のフォーカスレンズの単位移動距離に対する焦点移動距離を相対的に大きくして、微調用のフォーカスレンズの単位移動距離に対する焦点移動距離を相対的に小さくすると、粗調用のフォーカスレンズの移動距離が短くなり、今までに比べ粗調時のＡＦサーチに要する時間が短縮され、微調時のＡＦサーチにおいては細かな合焦点の探索を行なうことができる。
【０００９】
ここで、粗調用のフォーカスレンズと微調用のフォーカスレンズが互いに別体のレンズにより構成されたものであってもよく、あるいは、粗調用のフォーカスレンズと微調用のフォーカスレンズのうちの少なくとも一方が、複数の単レンズから構成されたものであるとともに、他方が該複数の単レンズのうちの一部の単レンズから構成されたものであっても良い。
【００１０】
【発明の実施の形態】
以下、本発明の実施形態について説明する。
【００１１】
図１は本発明の撮像装置が適用されたデジタルカメラの外観図である。図１（ａ）は正面図、（ｂ）は上面図、（ｃ）は側面図、（ｄ）は背面図である。
【００１２】
図１（ａ）〜（ｃ）に示すデジタルカメラ１００はレンズ１０１を含む撮影光学系を通してカメラ１００内部に配備されているＣＣＤ固体撮像素子まで被写体の像が導かれるようになっている。カメラ内部に配備されている撮影光学系の少なくとも一部には別体からなるフォーカスレンズが配備されている。
【００１３】
図１（ｄ）に示すように本実施形態のデジタルカメラ１００の背面にはユーザがこのデジタルカメラ１００を使用するときにいろいろな操作を行うための操作部が設けられている。
【００１４】
この操作部には操作用のスイッチ群と表示器としてのＬＣＤパネル１２７ａが設けられている。操作スイッチ群にはデジタルカメラを作動させるための電源投入用のパワースイッチ１０２、撮影と再生とを自在に切替える撮影・再生切替レバー１０３、ズームスイッチ１０６、十字キー１０７および閃光発光用のスイッチ１０９などがある。この十字キー１０７には操作表示ＬＣＤ１０７ａが設けられていて操作の内容をユーザに認識させることができるようになっている。
【００１５】
またこのデジタルカメラ１００では撮影・再生切替レバー１０３によって撮影と再生との切替が自在になっていて、撮影を行うときにはユーザによって撮影・再生切替レバー１０３が撮影側１０３ａに切り替えられ、再生を行うときには撮影・再生切替レバー１０３が再生側１０３ｂに切り替えられる。また、夜間撮影も行えるように閃光発光装置１０４が配備されており、ポップアップスイッチ１０９を押すとその閃光発光装置１０４がポップアップされる。
【００１６】
さらに、図１（ｂ）に示すようにこのデジタルカメラ１００の上方にはレリーズ釦１０８が配備されており、このレリーズ釦１０８の押下によって撮影の開始指示がカメラ内部の信号処理部へと伝えられる。
【００１７】
図２はデジタルカメラ１００の内部に配備された信号処理部の構成ブロック図である。図２を参照してデジタルカメラ１００内にある信号処理部の構成を説明する。
【００１８】
本実施形態のデジタルカメラ１００ではすべての処理がＣＰＵ１１１によって制御されていて、このＣＰＵ１１１の入力部には図１（ｄ）で示した操作部の各種スイッチが接続されている。
【００１９】
各種スイッチのそれぞれの接続状況をまず説明する。説明を分かりやすくするため、入力部と出力部とを分けて説明する。まず入力部から説明する。
【００２０】
撮影の開始撮影の開始指示を行うレリーズ釦１０８には、このレリーズ釦１０８の押下に同期して作動するシャッタースイッチ１０８ａが設けられている。このシャッタースイッチ１０８ａのオン信号が撮影開始の合図として入力される。この入力された信号は、撮影・再生切替レバー１０３が撮影側１０３ａに切り替えられていれば撮影開始の合図としてＣＰＵ１１１で認識されるが、再生側に切り替えられていたら認識されない。
【００２１】
また十字キー１０７ではＬＣＤパネル１２７ａに表示される選択メニューの、複数の項目の中のいずれかの項目を選択することができるようになっている。
【００２２】
十字キー１０７には４つのキーに対応する４つの接点１０７１〜１０７４が設けられており、図２にはその４つの接点がそれぞれ示されている。たとえば上キーが操作されて接点１０７１が押下されたら上方向へカーソルが移動し、また右キーに対応する接点１０７２が押下されたら右方向へ移動するようになっている。そして、いずれかのキーが操作されて、いずれかの接点１０７１〜１０７４が接続されると、ＣＰＵ１１１ではその移動指示に基づいてバス１２０を介してＬＣＤパネル１２７ａへカーソルの移動指示が転送される。そうすると複数表示されている項目の中のいずれかの位置にカーソルが移動する。したがってユーザはＬＣＤパネル１２７ａに表示されたカーソルを十字スイッチのキー操作により移動させて、選択メニューの中の、いずれかの項目を選択することができる。
【００２３】
また、撮影・再生切替レバー１０３が再生側１０３ｂに切り替えられると記録メディア１４０からの再生が行われる。
【００２４】
ＣＰＵ１１０の出力部にはタイミングジェネレータ１１２、粗調用のフォーカスレンズ１１６ａを駆動するためのモータドライバ１１６、微調用のフォーカスレンズ１１７ａを駆動するためのモータドライバ１１７、アイリス１３２を駆動するためのモータドライバ１３３およびＣＤＳＡＭＰ１１３が接続されている。
【００２５】
まずこのデジタルカメラの背面に配備された電源スイッチ１０２が投入され、撮影・再生レバーが撮影側に切り替えられていると撮影レンズ１０１が向けられた方向の被写体がＬＣＤパネル１２７ａ上にスルー画像として表示される。ユーザはこのスルー画像を見ながらフレーミングを行い、シャッターチャンスにレリーズ釦１０８を押して撮影を行う。レリーズ釦１０８が押下されたらにレリーズ釦の押下に同期してシャッタースイッチ１０８ａが作動してＣＰＵ１１１に撮影開始を指示する信号が入力される。この撮影開始を指示する信号が入力されると、ＣＰＵ１１１ではタイミングジェネレータ１１２にこの撮影開始の指示が伝えられ、タイミングジェネレータ１１２ではこの指示を受けてＣＣＤ固体撮像素子１１０に結像されたＲＧＢ信号の出力を促す信号が出力される。このＣＣＤ固体撮像素子１１０から出力されたＲＧＢ信号はＣＤＳ回路１１３へ供給され、このＣＤＳ回路ではＳ／Ｎ比を改善するため雑音低減の処理が行なわれる。この雑音が低減されたＲＧＢ信号がＡ／Ｄ変換回路１１８に供給され、デジタルのＲＧＢ信号に変換される。このデジタル信号に変換されたＲＧＢ信号が画像入力コントローラによってバス１２０側に導かれる。バス１２０に接続されている画像信号処理回路１２２、圧縮処理回路１２３、ＡＦ検出回路１３０、ＡＥ＆ＡＷＢ検出回路１３１などの後段の処理部ではアナログのＲＧＢ信号に変わってデジタルのＲＧＢ信号の処理が行なわれる。
【００２６】
まず、電源スイッチ１０２が投入されたときに表示されるスルー画像の処理を説明する。
【００２７】
レリーズ釦１０８が押されていなくても、画像表示装置１２７の表示パネル１２７ａには撮影レンズが向けられた方向の被写体像がスルー画像として常に表示されている。このスルー画像として表示されている被写体像は、ＣＣＤ固体撮像素子１１０から所定の間隔ごとに間引かれて読み出されたＲＧＢ信号から成る画像データを画像信号処理回路１２２でＹＣ信号に変換し、そのＹＣ信号をＶＩＤＥＯＥＮＣＯＲＤＥＲ１２６を経由させて画像表示装置１２７に供給して得られるものである。スルー画像が表示される場合には、それほどの解像度が要求されていないこともあり、ＣＣＤ固体撮像素子１１０の全画素を読み出さずに、全画素のうち、所定数の画素に対応するＲＧＢ信号が読み出されて被写体像の表示が行われている。このときにもＡＥ＆ＡＷＢ検出回路１３１では露出調節が、ＡＦ検出回路１３０ではコントラストのサンプリングが絶えず行われている。
【００２８】
露出調節にあってはＣＣＤ固体撮像素子１１０から所定の間隔ごとに読み出されたＲＧＢ信号に基づいてＡＥ＆ＡＷＢ検出回路１３１で検出された輝度情報に応じてアイリス１３２が駆動されて露出調整が行われ、また焦点調節にあっては粗調用フォーカスレンズ１１６を移動させながらＡＦ検出回路１３０でＲＧＢ信号からコントラストのサンプリングが粗く行なわれて合焦点付近にフォーカスレンズが駆動される。本実施形態のデジタルカメラには粗調用のフォーカスレンズとは別体の微調用フォーカスレンズ１１７ａがもう一つ設けられており、粗調用のフォーカスレンズが駆動された後、微調用フォーカスレンズ１１７ａを移動させながら細かくコントラストのサンプリングが行なわれ、精度良く合焦点が検出されている。このようにして粗調用のフォーカスレンズが合焦点に対応する概略の位置に駆動された後、微調用フォーカスレンズ１１７ａが合焦点に対応する位置に駆動される。
【００２９】
以上説明したようにこのデジタルカメラ１００ではＡＦ調節を行うにあたっては粗調用のフォーカスレンズ１１６ａが駆動されて概略の合焦点位置が検出された後で微調用のフォーカスレンズ１１７ａが駆動され、短時間のうちに精度の良い合焦点位置が検出される。
【００３０】
本発明の撮像素子が適用されたこのデジタルカメラでは、今までよりも粗調用のフォーカスレンズ１１６ａの単位移動距離に対して大きく焦点位置が変化するようにしてある。ここで単位移動距離とはフォーカスレンズの焦点距離移動に対応するものであり、今まではこの単位移動距離に対応する焦点距離移動が小さなフォーカスレンズを用いて粗調用のＡＦサーチを行なっていたためフォーカスレンズの移動距離が長くなっていた。本発明の撮像素子が適用されたこのデジタルカメラでは粗調用のフォーカスレンズと微調用のフォーカスレンズとを別体で構成して粗調用のフォーカスレンズの単位移動距離に対応する焦点距離移動を大きくとって粗調用のフォーカスレンズの移動距離を短くしている。
【００３１】
このように粗調用のフォーカスレンズの移動距離が短縮されると、ＡＦサーチに要する時間も短縮され、微調用のフォーカスレンズ１１７ａを移動させながら合焦点が検出される時間を加えたとしてもいままでのＡＦサーチに要する時間がかなり短縮される。
【００３２】
こうして粗調用フォーカスレンズ１１６ａおよび微調用フォーカスレンズ１１７ａがそれぞれ合焦点位置に対応する位置に配置されたら、タイミングジェネレータ１１２からのタイミング信号によってＲＧＢ信号が間引かれて読み出され、ＣＤＳＡＭＰ１１３側へ供給される。このＣＤＳＡＭＰに供給されたＲＧＢ信号がＡ／Ｄ変換回路１１８でデジタルのＲＧＢ信号に変換され、画像入力コントローラ１１９により画像信号処理回路１２２に供給される。この画像信号処理回路１２２でＲＧＢ信号がＹＣ信号に変換されＶＩＤＥＯＥＮＣＯＤＥＲ１２６を経由して画像表示装置１２７に供給され、この画像表示装置１２７の表示パネル１２７ａでスルー画像として被写体像が表示される。
【００３３】
なおＣＰＵ１１１と画像入力コントローラ１１９、メモリ（ＳＤＲＡＭ）１２１、画像信号処理回路１２２、圧縮処理回路１２３、メディアコントローラ１２４、ＵＳＢｃｏｎｔｒｏｌｌｅｒ１２５、ＶｉｄｅｏＥｎｃｏｒｄｅｒ１２６、ＡＦ検出回路１３０、ＡＥ＆ＡＷＢ検出回路１３１とはバス１２０によって接続されており、このバス１２０を介してアドレス、データなどのやりとりが行われる。そのバス１２０を介してデータのやりとりを行うためのレジスタがＣＰＵ１１１内には各種用意されていてこれらのレジスタの内容が各処理部の処理の進行状況に応じて書き換えられる。ＣＰＵ内１１１ではこのレジスタの内容を判読して処理が行われる。
【００３４】
以上はスルー画像を表示パネル１２７ａに表示させるための画像データの流れである。
【００３５】
ここからはレリーズ釦１０８が押下されて撮影が行なわれたときの画像データの流れを説明する。
【００３６】
ＣＰＵ１１１の入力部に接続されている撮影・再生切替レバー１０３が撮影側１０３ａになっていてレリーズ釦１０８が押下されるとシャッタースイッチ１０８ａが接続されて、ＣＰＵ１１１ではレリーズ釦１０８の押下が検知される。
【００３７】
ユーザによってレリーズ釦１０８が押下されるとＣＰＵ１１１からタイミングジェネレータ１１２に対して撮影の開始指示が行われる。この開始指示を受けてＣＣＤ固体撮像撮像素子１１０では露光が行なわれ、タイミングジェネレータ１１２からのタイミング信号に基づいて露光が終了したＲＧＢ信号が順次ＣＤＳＡＭＰ１１３側へ出力される。
【００３８】
レリーズ釦１０８が押されたときには、押されたときにＣＣＤ固体撮像素子１１０で得られたＲＧＢ信号がＣＤＳＡＭＰ１１３側へすべて読み出され、このＣＤＳＡＭＰ１１３で雑音低減の処理が行われたＲＧＢ信号がＡ／Ｄ変換回路１１８へと供給される。Ａ／Ｄ変換回路１１８でデジタル信号のＲＧＢ信号に変換されたＲＧＢ信号が、画像入力コントローラ１１９によってバス１２０側へ導かれ、そのバスを経由してメモリ（ＳＤＲＡＭ）１２１に全画素に対応するＲＧＢ信号が取り込まれる。そのメモリ（ＳＤＲＡＭ）１２１に全画素に対応するＲＧＢ信号が取り込まれたら、今度はメモリ（ＳＤＲＡＭ）１２１からＲＧＢ信号が読み出されて画像信号処理回路１２２に供給される。画像信号処理回路１２２ではＲＧＢ信号からＹＣ信号への変換が行なわれてさらにそのＹＣ信号に変換された画像データが圧縮処理回路１２３に供給され、その圧縮処理回路１２３で圧縮された画像データがメディアコントローラ１２４を介して記録メディア１４０にＪＰＥＧファイルとして記録される。
【００３９】
なお、図１に示したデジタルカメラにはＵＳＢ（Ｕｎｉｖｅｒｓａｌ　Ｓｅｒｉａｌ　Ｂｕｓ）ｃｏｎｔｒｏｌｌｅｒ１２５も備えられており、ＵＳＢ規格準拠の外部機器との接続も可能な構成になっている。
【００４０】
以上が本発明の撮像素子が適用されたデジタルカメラ１００で撮影が行われたときに記録メディア１４０に記録されるまでの画像データの流れである。
【００４１】
図３はＡＦサーチが行なわれるときの処理の手順を示すフローチャートである。
【００４２】
ステップＳ３１ではＡＦ調節行なう前にＣＣＤ固体撮像素子１１０の撮影面に適正な光量を与えるため、ＡＥ＆ＡＷＢ検出回路１３１の結果に基づいてＡＦ用の露出が決定される。このＡＥ＆ＡＷＢ検出回路１３１ではＲＧＢ信号から輝度が検出されており、その輝度情報に基づいてアイリス１３２がモータドライバ１３３により駆動されるモータによって回動される。ここでアイリスが回動されて大きな開口あるいは小さな開口の絞りが光軸に配置され、ＣＣＤ固体撮像素子１１０に適正な光量が与えられる。
【００４３】
こうして露出調節が終了したら、ステップＳ３２で粗調用のフォーカスレンズ１１６ａを移動させながら、ＡＦ検出回路１３０でＡＦ評価値としてコントラストのサンプリングが行なわれる。粗調用のフォーカスレンズ１１６ａを移動させているときにＡＦ検出回路１３０で検出されたコントラスト情報に基づいてＡＦ評価値が取得されたら、ステップＳ３４でＹｅｓと判定されて、ステップＳ３５でＣＰＵ１１１からモータドライバ１１６に所定数のパルスが供給され、取得されたＡＦ評価値に基づく合焦点に対応する位置にフォーカスレンズ１１６ａが駆動される。
【００４４】
ステップＳ３４でＡＦ評価値が取得できなかったらＮＧと判定されてステップＳ３６でローコントラストの指定位置に粗調用のフォーカスレンズ１１６ａが駆動されてＡＦサーチが終了する。
【００４５】
ステップＳ３５で粗調用のフォーカスレンズ１１６ａが合焦点に駆動されたら、今度はステップＳ３７で微調用のフォーカスレンズ１１７ａを移動させながらＡＦ検出回路１３０でコントラストの検出が行なわれる。そしてステップＳ３８でＡＦ評価値が取得されたら、ステップＳ３９でＡＦサーチが終了する。そしてステップＳ４０でそのＡＦ評価値に基づく合焦点に微調用フォーカスレンズ１１７ａが駆動される。
【００４６】
このように短縮された時間でＡＦ調節が終了したら画像データがＣＣＤ固体撮像素子１１０から読み出され、その読み出されたＲＧＢ信号からなる画像データが画像信号処理装置１２２でＹＣ信号に変換され、画像表示装置１２７に供給されてスルー画像として表示される。
【００４７】
また、焦点調整に要する時間が短縮されているので、レリーズ釦１０８が押されたときにも、シャッターチャンスを逸することもなく、全画素に対応するＲＧＢ信号からなる画像データが読み出され、圧縮処理回路１２３で圧縮され、記録メディア１４０に記録される。
【００４８】
図４は図２に示したデジタルカメラでのＡＦサーチの状態を示す概念図である。
【００４９】
図４上方には粗調用のフォーカスレンズ１１６ａの移動距離と微調用のフォーカスレンズ１１７ａの移動距離がそれぞれ示されており、図４下方には粗調用のフォーカスレンズ１１６ａを移動させたときの焦点距離に対応する被写体距離、微調用のフォーカスレンズ１１７ａを移動させたときの焦点距離に対応する被写体距離がそれぞれ示されている。
【００５０】
粗調用のフォーカスレンズ１１６ａを単位移動距離ごとに移動させたときには被写体距離が大きな傾きで急激に変化している。このときに単位移動距離ごとにコントラストのサンプリングが行なわれると、コントラストの変化が非常に大きく現れるので概略の合焦点が短時間で検出される。そして概略の合焦点が検出されたら、概略の合焦点に対応する位置にフォーカスレンズ１１６ａが駆動される。
【００５１】
さらに微調用のフォーカスレンズを移動させることにより精度の高い合焦点が検出され、合焦点に対応する位置に微調用のフォーカスレンズ１１７ａが駆動される。図４からも分かるように微調用のフォーカスレンズ１１７ａを粗調用のフォーカスレンズ１１６ａと同じ距離移動させても粗調用のフォーカスレンズ１１６ａのように被写体距離が大きくは変化せず、小さな傾きで緩やかに被写体距離が変化する。つまり、粗調用のフォーカスレンズ１１６ａを移動させているときには焦点位置を大きく変化させて概略の合焦点を検出して、微調用のフォーカスレンズ１１７ａを移動させているときには焦点位置を小さく変化させて精度の高い合焦点を検出している訳である。
【００５２】
このように粗調用のフォーカスレンズ１１６ａと微調用のフォーカスレンズ１１７ａとを別体にして粗調用のフォーカスレンズ１１６ａの単位移動距離に対する焦点移動距離を大きくすると、粗調用のフォーカスレンズ１１６ａの移動距離が短くなり、ＡＦサーチのさらなる時短を実現させることができる。また、微調用のフォーカスレンズの単位移動距離に対する焦点移動距離を小さしていくと、より一層精度の高いＡＦサーチを行なうこともできる。
【００５３】
以上説明したように粗調用フォーカスレンズ１１６ａと微調用フォーカスレンズ１１７ａを別体にして粗調用のフォーカスレンズ１１６ａの単位移動距離に対する焦点移動距離を大きくすると、粗調用フォーカスレンズ１１６ａの移動距離が短くなり、ＡＦ調節に要する時間が短縮されるという効果がある。さらに微調用のフォーカスレンズ１１７ａで今までどおり細かな合焦点の検出を行なうと、精度良く合焦点が定まる。また、微調用のフォーカスレンズの単位移動距離に対する焦点移動距離を今までよりも小さくすることによってより高精度に合焦点の検出を行なうこともできる。これはＣＣＤ固体撮像素子の画素数が増え、かつ画素間隔が小さくなった場合などに有効である。
【００５４】
図５は本発明の撮像装置が適用された第２の実施形態を示すデジタルカメラの内部構成を示す図である。
【００５５】
第１の実施形態では、粗調用フォーカスレンズ１１６ａと微調用フォーカスレンズ１１７ａが互いに別体として備えられているが、第２の実施形態では粗調用フォーカスレンズが複数枚たとえば２枚のレンズ１１６ｂ，１１７ｂからなり、そのうちの一部のレンズ１１７ｂが微調用のフォーカスレンズとして動作するように構成されている。それ以外の構成は第１の実施形態と同様である。
【００５６】
このようにフォーカスレンズ１１６ｂとフォーカスレンズ１１７ｂとを粗調用としてモータドライバ１１６１により一体的に移動させて粗いＡＦサーチを行った後でそれらのフォーカスレンズ１１６ｂ，１１７ｂのうちの一方のフォーカスレンズ１１７ｂのみを微調用としてモータドライバ１１７１により移動させて細かなＡＦサーチを行なうような構成にしても良い。
【００５７】
なお、本実施形態では本発明の撮像装置がデジタルカメラに適用された例を示したが、本発明はこれに拠らず、銀塩カメラ、ビデオカメラなどにも適用可能である。
【００５８】
【発明の効果】
以上、説明したように、本発明の撮像装置によれば、いままでの撮像装置に比べ、さらにＡＦサーチに要する時間が短縮される撮像装置を提供することができる。また粗調のＡＦサーチに要する時間を短縮させて微調のＡＦサーチにおいてはいままでよりも細かく合焦点検出を行なうこともできるので、より高精細な画像が撮像される撮像装置を提供することもできる。
【図面の簡単な説明】
【図１】本発明の撮像装置が適用された第１の実施形態のデジタルカメラの外観を示す図である。
【図２】図１のデジタルカメラの内部構成を示すブロック図である。
【図３】図２に示したＣＰＵで行われる処理の手順を示すフローチャートである。
【図４】図２に示したデジタルカメラでのＡＦサーチの状態を示す概念図である。
【図５】本発明の撮像装置が適用された第２の実施形態のデジタルカメラの内部構成を示すブロック図である。
【符号の説明】
１００　　デジタルカメラ
１０１　　撮影レンズ
１０２　　パワースイッチ
１０３　　撮影・再生選択レバー
１０７　　選択ダイヤル
１１０　　ＣＣＤ固体撮像装置
１１１　　ＣＰＵ
１１２　　タイミングジェネレータ
１１３　　ＣＤＳＡＭＰ
１１６　　モータドライバ
１１６ａ　　粗調用のフォーカスレンズ
１１６ｂ　　粗調用のフォーカスレンズ
１１７　　モータドライバ
１１７ａ　　微調用のフォーカスレンズ
１１７ｂ　　微調用のフォーカスレンズ
１１８　　Ａ／Ｄ変換回路
１１９　　画像コントーラ
１２３　　圧縮処理回路
１２４　　メディアコントローラ
１２５　　ＶＲＡＭ
１２６　　ビデオエンコーダ
１２７　　画像表示装置
１２７ａ　　ＬＣＤ表示パネル
１３０　　ＡＥ検出回路
１３１　　ＡＥ＆ＡＷＢ検出回路
１４０　　記録メディア
【図１】
2004056691.tif 000003
【図２】
2004056691.tif 000004
【図３】
2004056691.tif 000005
【図４】
2004056691.tif 000006
【図５】
2004056691.tif 000007